(57)【特許請求の範囲】
【請求項１】
補機の基準電位部材又は当該基準電位部材から引き出されたアース線を、車両ボディを介さずにバッテリの負極端子に電気的に接続するための車両用アース配線構造において、
車両に配置され、前記バッテリの負極端子に電気的に接続される導体を含む細長い幹線と、
前記幹線の長手方向中途部に配置され、前記基準電位部材又は前記アース線を取付可能な複数のアースポイント部と、
を備え、
前記幹線は電線を含み、
前記アースポイント部は、プレート状に形成される金属部材に配置され、
プレート状の前記金属部材は、補機の前記基準電位部材又は前記アース線を取り付けるための細長い形状の接続部を備え、
この接続部は、その長手方向が前記電線の導体の軸方向に沿うように配置されていることを特徴とする車両用アース配線構造。
【請求項２】
請求項１に記載の車両用アース配線構造であって、
前記電線の長手方向中途部にストリップ部が形成され、
このストリップ部にプレート状の前記金属部材が取り付けられていることを特徴とする車両用アース配線構造。
【請求項３】
請求項１に記載の車両用アース配線構造であって、
前記幹線は、複数の電線の端部同士が前記金属部材により連結されて構成されていることを特徴とする車両用アース配線構造。
【請求項４】
請求項１から３までの何れか一項に記載の車両用アース配線構造であって、
前記金属部材はヒートパイプ又はフィンを備えることを特徴とする車両用アース配線構造。
【請求項５】
請求項１から４までの何れか一項に記載の車両用アース配線構造であって、
前記アースポイント部に、補機の前記基準電位部材又は前記アース線を接続するための接続端子が配置されていることを特徴とする車両用アース配線構造。
【請求項６】
請求項１から５までの何れか一項に記載の車両用アース配線構造であって、
前記アースポイント部にネジ穴が形成されていることを特徴とする車両用アース配線構造。
【請求項７】
請求項１から６までの何れか一項に記載の車両用アース配線構造であって、
前記アースポイント部が防水カバーで覆われていることを特徴とする車両用アース配線構造。
【発明の詳細な説明】
【技術分野】
【０００１】
本発明は車両用のアース配線構造に関し、詳細には、補機の基準電位配線を車両ボディを介さずにバッテリの負極端子に電気的に接続する、いわゆる非ボディアース型のアース配線構造に関する。
【背景技術】
【０００２】
自動車のアース回路としては、特許文献１に示すように、当該自動車の電装部品（以下、補機と称する）のアース電流を、車両ボディの金属パネルを経由してバッテリの負極端子に流す構成とすることが多く行われている。このボディアース型の配線構造では、補機のアース端子を車両ボディに接続すれば良いので、バッテリから補機への接続は、正極側からのみ電源線のワイヤハーネスを引き回すように構成すれば良い。
【特許文献１】特開２０００−１３４７９１号公報
【０００３】
一方、特許文献２は、特許文献１に示すようなボディアース型の配線構造では電源線とボディとが接触すると短絡回路を形成して過電流が流れてしまう問題を指摘し、これを回避するために、ボディアース廃止型（非ボディアース型）の配線構造を提案している。この配線構造は、各補機のアースをボディに落とさずにアース線でバッテリの負極側へ戻す構造であり、バッテリの負極側はボディから絶縁状態に維持されている。
【特許文献２】特開２００１−２８７６０４号公報
【０００４】
また、いわゆるスポーツカーでは、運動性能を重視する関係上、軽量化のために非金属ボディが使用されることがある。この場合、仮に一般の自動車のように補機のアース端子側をボディに接続すると、ボディの電気抵抗が高いため、電圧降下によって電装品の動作が不安定になったり機能しないことがある。従って、このような非金属ボディの車両においては、上記のような非ボディアース型の構成を採用する必要がある。
【０００５】
この非ボディアース型では、車両の内部にアース線を縦横に配索する必要があり、配線が複雑になる。特許文献２も、補機への電力供給が集中する車両前部においては、エンジンルーム内を相当に太いハーネスが横断することになり、エンジン周辺でのハーネスの配索作業が煩雑かつ困難であり、ハーネス自体の重量も重くなるという課題を指摘する。そして、特許文献２は、配線構造の配索作業を簡単にし、ハーネスの軽量化を図るため、エンジン筐体をアース配線に用いる構造、及び、アース線と補機を接続できる端子台を用いる構造を提案している。
【発明の開示】
【発明が解決しようとする課題】
【０００６】
しかしながら、特許文献２の構成においても、アース側の電線を電源側と同様に引き回す構造であり、アース線が車内に複雑な経路で配索されることが避けられない。従って、特許文献２の構成は、アース線の配索を一層簡素化する観点から改善が求められていた。
【０００７】
本発明は以上の事情に鑑みてされたものであり、その主要な目的は、いわゆる非ボディアース型の配線構造において、アース線の配索を簡素化するとともに、コンパクトで軽量な構成を提供することにある。
【課題を解決するための手段及び効果】
【０００８】
本発明の解決しようとする課題は以上の如くであり、次にこの課題を解決するための手段とその効果を説明する。
【０００９】
本発明の観点によれば、補機の基準電位部材又は当該基準電位部材から引き出されたアース線を、車両ボディを介さずにバッテリの負極端子に電気的に接続する車両用アース配線構造において、以下の構成が提供される。即ち、この車両用アース配線構造は、車両に配置される細長い幹線と、前記幹線の長手方向中途部に配置される複数のアースポイント部と、を備える。幹線は、前記バッテリの負極端子に電気的に接続される導体を含む。前記アースポイント部は、前記基準電位部材又は前記アース線を取付可能に構成されている。前記幹線は電線を含む。前記アースポイント部は、プレート状に形成される金属部材に配置される。プレート状の前記金属部材は、補機の前記基準電位部材又は前記アース線を取り付けるための細長い形状の接続部を備える。この接続部は、その長手方向が前記電線の導体の軸方向に沿うように配置されている。
【００１０】
これにより、アース配線構造としては、幹線を車両の要部（又は配索が容易な経路）にのみ配索し、各補機からは幹線の中途部に配置されたアースポイント部に接続するというレイアウトを採用することが可能になる。このため、非ボディアース型の車両においてアース側の配線を極めて簡素化できるとともに、ボディアース型とほぼ同様の自由度で補機のアース線を接続することができる。更に、金属部材を介して電位基準部材又はアース線を確実に幹線に接続することができる。また、金属部材がプレート状に形成されているので、金属部材上に補機を直接設置することも可能になる。従って、アース側の配線の一層の簡素化が実現されるとともに、金属部材による補機の冷却効果も期待することができる。更に、金属部材を、前記導体の軸方向に垂直な向きにおいて特に小型化することが容易になる。また、接続部が電線の導体と平行に配置されるので、狭いスペース内に電線（幹線）が配索される場合であっても、補機からのアース線等を接続する作業を容易に行うことができる。
【００１３】
前記の車両用アース配線構造においては、前記電線の長手方向中途部にストリップ部が形成され、このストリップ部にプレート状の前記金属部材が取り付けられていることが好ましい。
【００１４】
これにより、簡素な構成で、幹線の長手方向中途部における任意の位置にアースポイント部を設けることができる。また、当該アースポイント部において電線の導体を途切らせることなく連続的に配置できるので、接続信頼性に優れるアース回路を提供することができる。
【００１５】
前記の車両用アース配線構造においては、前記幹線は、複数の電線の端部同士が前記金属部材により連結されて構成されていることが好ましい。
【００１６】
これにより、前記金属部材が幹線の一部となるので省スペース化を実現できるとともに、線径が大きく構成されることが多く高コストになりがちな幹線用の電線を節約でき、軽量化及び低コスト化に寄与することができる。
【００１９】
前記の車両用アース配線構造においては、前記金属部材はヒートパイプ又はフィンを備えることが好ましい。
【００２０】
これにより、アースポイント部において電流が集中して流れることにより発熱が生じても、ヒートパイプ又はフィンによって容易に放熱することができる。また、発熱が大きい補機を金属部材上に直接設置することで、当該補機自体を冷却することも可能になる。
【００２３】
前記の車両用アース配線構造においては、前記アースポイント部に、補機の前記基準電位部材又は前記アース線を接続するための接続端子が配置されていることが好ましい。
【００２４】
これにより、治具及び工具等を使用せずに、アースポイントに補機からのアース線等を簡単に接続することができる。また、接続作業が容易であるので、作業ミスによるアース不良を確実に防止することができる。
【００２５】
前記の車両用アース配線構造においては、前記アースポイント部にネジ穴が形成されていることが好ましい。
【００２６】
これにより、アースポイント部へのアース線の接続作業を、従来のボディアース型で行われていたのとほぼ同様の作業で行うことができる。また、部品の取付け及び取外しが容易なネジ穴構造がアースポイント部に形成されているので、オプションの補機を装着又は交換するような構成の変更にも容易に対応することができる。
【００２７】
前記の車両用アース配線構造においては、前記アースポイント部が防水カバーで覆われていることが好ましい。
【００２８】
これにより、アースポイント部に水が掛かることを回避できるので、幹線の導体等の腐食を防止することができる。また、アースポイント部において電位差が大きい異種金属の接合部が構成された場合でも、いわゆる異種金属接触腐食を未然に防止することができる。
【発明を実施するための最良の形態】
【００２９】
次に、発明の実施の形態を説明する。図１は、本発明の第１実施形態の車両用アース配線構造を概念的に示す図である。図２は、第１実施形態におけるアースポイント部周辺の構成を示す斜視図である。
【００３０】
図１には、本発明の第１実施形態の車両用アース配線構造が概念的に示されている。この図１に示すように、本実施形態の配線構造は、車両の要部を通過する経路に沿って車両ボディ１０に配置された細長い幹線１と、この幹線１に配置される複数のアースプレート（金属部材）５と、を備えている。図１ではアースプレート５は３枚配置されているが、この数は任意に変更することができる。
【００３１】
前記幹線１の一端にはバッテリ１１が配置されている。このバッテリ１１は、車両ボディ１０の適宜位置（例えば、エンジンルーム）に設置されている。前記幹線１は導体を備え、この導体の一端は、バッテリ１１が備える負極端子１２に電気的に接続される。
【００３２】
３枚の前記アースプレート５のうち、２枚のアースプレート５は幹線１の長手方向中途部に配置され、残りの１枚のアースプレート５は幹線１の長手方向一端（前記バッテリ１１と反対側の端部）に配置されている。それぞれのアースプレート５にはアースポイント部６が形成され、このアースポイント部６において、図示しない補機の基準電位部材から引き出されたアース線７の端部が固定される。これにより、補機の基準電位部材がアース線７及び幹線１を介してバッテリ１１の負極端子１２に電気的に接続される。
【００３３】
以上の構成により、例えば補機の集中配置箇所の近傍を通過するような適当な経路に沿って幹線１を配置し、この幹線１の中途部に設けたアースポイント部６に補機からのアース線７等を接続することで、アース側の配線を効果的に簡素化でき、車両の低コスト化及び軽量化に寄与することができる。
【００３４】
アースプレート５（及びアースポイント部６）の位置については、前記幹線１の長手方向中途位置である限り任意に設定することができるが、補機から引き出されるアース線７を短くする観点からは、補機が集中して配置される部分の近くに多数配置されるようなレイアウトとすることが好ましい。また、幹線１の周囲に比較的広いスペースを確保できる部分にアースプレート５（アースポイント部６）を配置すると、アース線７の接続作業等が容易になる点で好ましい。
【００３５】
次に、アースプレート５及びアースポイント部６の具体的な構成について、図２を参照しながら説明する。図２において、前記幹線１は１本の電線２１で構成され、この電線２１の長手方向中途部には、絶縁被覆を所定の長さで剥ぎ取ったストリップ部２２が複数形成されている。そして、このストリップ部２２において、電線２１の導体２３の露出部分にアースプレート５１が取り付けられている。
【００３６】
アースプレート５１は、導電性を有する金属板を略Ｕ字状に打ち抜いて構成されている。具体的には、このアースプレート５１は、前記電線２１の軸方向と平行となるように配置された幹線接続部３１及び補機接続部（接続部）３２と、幹線接続部３１及び補機接続部３２の一端同士を繋ぐ連結部３３と、を一体的に備えた構成となっている。
【００３７】
幹線接続部３１の端部にはカシメ部３５が一体的に形成されている。このカシメ部３５が、前記ストリップ部２２において露出している導体２３に圧着されることで、アースプレート５１が電線２１に固定される。
【００３８】
また、補機接続部３２にもカシメ部３６が一体的に形成され、このカシメ部３６が、アース線７の集中ジョイント部８に圧着されている。この集中ジョイント部８は、複数の前記アース線７を束ねるとともに、その一端でアース線７の導体を例えば超音波で接合することにより構成されるものである。
【００３９】
アース線７の長手方向は、補機接続部３２の長手方向とほぼ一致するように配置される。即ち、アース線７は前記電線２１の軸方向と略沿うようにして、前記補機接続部３２に接続される。この構成とすることにより、特に電線２１の軸方向と垂直な方向でのアースプレート５１のサイズを小さくできるとともに、アースプレート５１の周囲に作業空間を大きく確保できない場合でもアース線７の接続を容易に行うことができる。
【００４０】
なお、アースプレート５１の導体２３への取付けは、カシメ部３５による圧着によって行うことに代えて、例えば溶接又はボルト固定等により行うことができる。同様に、アースプレート５１に対するアース線７の取付けについても、カシメ部３６による圧着に代えて、例えば溶接又はボルト固定等により行うことができる。
【００４１】
以上に示すように、本実施形態の車両用アース配線構造は、補機の基準電位部材から引き出されたアース線７を、車両ボディ１０を介さずにバッテリ１１の負極端子１２に電気的に接続するように構成されている。そして、この配線構造は、車両に配置される幹線１と、この幹線１の長手方向中途部に配置された複数のアースポイント部６と、を備える。前記幹線１は、前記バッテリ１１の負極端子１２に電気的に接続される導体（電線２１の導体２３）を含んでいる。また、前記アースポイント部６は、補機からのアース線７を取付可能に構成されている。
【００４２】
この構成により、幹線１を車両の重要な部分にのみ配置し（又は配索が容易な経路に沿って配置し）、それぞれの補機からは、幹線１の中途部に配置されたアースポイント部６にアース線７を接続するレイアウトのアース配線構造を実現できる。このため、非ボディアース型の車両においてアース側の配線を極めて簡素化できるとともに、ボディアース型と同等程度の自由度で補機のアース線７を接続することができる。従って、本実施形態の構成は、非金属製のボディを備えるとともに軽量化が強く要求されるスポーツカー等に特に好適である。
【００４３】
また、本実施形態の車両用アース配線構造において、前記幹線１は電線２１を含んで構成されており、前記アースポイント部６は、プレート状に形成されたアースプレート５１に配置されている。
【００４４】
この構成により、アースプレート５１を介してアース線７を確実に幹線１に接続することができる。
【００４５】
また、本実施形態の車両用アース配線構造においては、前記電線２１の長手方向中途部にストリップ部２２が形成されており、このストリップ部２２に前記アースプレート５１が取り付けられている。
【００４６】
この構成により、簡素な構成で、幹線１の長手方向中途部における任意の位置にアースポイント部６を形成することができる。また、当該アースポイント部６において電線２１は被覆が剥ぎ取られるだけであり、導体２３の連続性は維持されるので、全体として接続信頼性に優れるアース回路を提供することができる。
【００４７】
また、本実施形態の車両用アース配線構造において、前記アースプレート５１は、補機のアース線７を取り付けるための細長い形状の補機接続部３２を備える。この補機接続部３２は、その長手方向が前記電線２１の導体２３の軸方向に沿うように配置されている。
【００４８】
この構成により、アースプレート５１を、前記導体２３の軸方向に垂直な向きに大きく出っ張ることを防止でき、小型化が容易になる。また、補機接続部３２が電線２１の導体２３と平行に配置されるので、狭いスペースに電線２１（幹線１）が引き回される場合でも、補機からのアース線７等を接続する作業を容易に行うことができる。
【００４９】
ただし、前述したアースプレート及びアースポイント部は、以下に示す第２〜第９実施形態のように構成することもできる。なお、以降の説明において前述の第１実施形態と同一及び類似する部材には、図面に同一の符号を付して説明を省略する場合がある。
【００５０】
図３に示す第２実施形態の構成において、電線２１のストリップ部２２に取り付けられるアースプレート５２には、オス型のジョイントコネクタ４１が一体的に形成されている。具体的には、このアースプレート５２は、前記電線２１の軸方向と平行となるように配置された幹線接続部３１及びコネクタ支持部３８と、幹線接続部３１及びコネクタ支持部３８の一端同士を繋ぐ連結部３３と、を一体的に備えた構成となっている。
【００５１】
前記コネクタ支持部３８の先端部は、適宜折り曲げられるとともに枝分かれ部分を形成し、この枝分かれ部分に４極の接続端子（接続部）４５が構成されている。また、この接続端子４５の周囲を覆うように、樹脂製のコネクタハウジング４６がコネクタ支持部３８に一体形成されている。
【００５２】
４つの前記接続端子４５は、その長手方向が電線２１の導体２３の軸線方向に略沿うように、細長く形成されている。このオス型のジョイントコネクタ４１は、補機からのアース線７が接続されたメス型のジョイントコネクタ４２を、電線２１の導体２３の軸線方向に差し込むことで装着できるように構成されている。
【００５３】
以上に示すように、本実施形態の車両用アース配線構造において、前記アースポイント部６（アースプレート５２）に、補機から引き出されたアース線７を接続するための接続端子４５が配置されている。
【００５４】
これにより、治具及び工具等を使用せずに、アースポイント部６に補機からのアース線７等を簡単に接続することができる。また、接続作業が容易であるので、作業ミスによるアース不良を確実に防止することができる。
【００５５】
図４に示す第３実施形態において、アースプレート５３は略直線状に形成され、前記ジョイントコネクタ４１は電線２１に近接して配置されている。端的にいえば、本実施形態は、上述した第２実施形態のコネクタ支持部を幹線接続部３１の部分に形成させた構成となっている。この図４の構成は、図３の構成において備えられていた連結部３３を省略することができ、一層の小型化及び省スペース化を実現することができる。
【００５６】
更に、図５に示す第４実施形態のように、アースプレート５４を略Ｌ字状に形成し、幹線接続部３１とコネクタ支持部３８が垂直に接続するようにして、接続端子４５の長手方向が前記電線２１の導体２３の軸線方向と略垂直になるように配置することもできる。
【００５７】
なお、図４及び図５においてメス型のジョイントコネクタは図示を省略しているが、これらの構成においても、図３で図示したメス型のジョイントコネクタ４２を接続することができる。
【００５８】
図６に示す第５実施形態においては、電線２１を長手方向中途部で分断し、その間に金属製のアースプレート５５を挟んで配置した構成となっている。言い換えれば、本実施形態の幹線１は、複数の電線２１の端部同士がアースプレート５５により連結されて構成されている。このアースプレート５５は細長い長方形に構成され、その長手方向が、電線２１の長手方向と一致するように配置されている。
【００５９】
アースプレート５５の長手方向一端部及び他端部には、貫通状の電線接続穴２５がそれぞれ形成されている。この電線接続穴２５にはメネジが形成されており、電線２１の端部に固定された電線端子２６が、固定ネジ２７により取り付けられている。なお、電線端子２６としては、例えば公知のＬＡ端子を使用することができる。
【００６０】
アースプレート５５の長手方向中央寄りの位置には、複数のアース穴２８が形成されている。このアース穴２８にも前記電線接続穴２５と同様にメネジが形成されており、図略のアース線に接続されたアース端子を、図示しないアースボルトを介して取付可能に構成されている。なお、前記アース穴２８には、一般的なアース端子のほか、公知の集中アースジョイントコネクタを取り付けることもできる。
【００６１】
この構成では、前述の第１〜第４実施形態のように幹線１の長手方向全体にわたって１本の電線を配置することはできないが、アースプレート５５を幹線１の中途部に自由に設置できるため、スペースが狭い場合であっても補機に近い場所にアースプレート５５を設置するレイアウトが可能になる。また、アース用の幹線１に使用する電線は、大電流を流すことが可能なように線径を太くせざるを得ず、他の用途の電線に比べてコストが高くなることが多いが、このようにアースプレート５５を間に配置するとその分だけ電線長を短くできるので、コストを効果的に低減することができる。特にアースプレート５５を細長く形成し、その長手方向を電線２１の長手方向と一致させて配置するとともに、そのアースプレート５５の端部に電線２１の端部を接続することで、構成のコンパクトさを維持する一方で電線２１を効果的に短くすることができる。
【００６２】
また、前記アースプレート５５にはネジ込み式のアース穴２８が形成されているので、補機からのアース線を特殊な方法で接続する必要がなく、アースボルトを用いて、旧来のボディアース型配線構造のように配線作業を行うことが可能になる。従って、配線作業の困難さを軽減することができる。
【００６３】
以上に示すように、本実施形態の車両用アース配線構造において、前記幹線１は、複数の電線２１の端部同士がアースプレート５５により連結されて構成されている。
【００６４】
この構成により、アースプレート５５が幹線１の一部となるので省スペース化を実現できるとともに、線径が大きく高コストである幹線１用の電線２１を節約することができ、軽量化及び低コスト化に寄与することができる。
【００６５】
また、本実施形態において、前記アースポイント部６には、メネジを形成したアース穴２８が形成されている。
【００６６】
この構成により、従来のボディアース型で行われていた接続作業と同様の作業で、アース線をアースポイント部６に接続することが可能になる。また、ネジ込み式に形成されたアース穴２８は部品の取付け及び取外しが容易であるので、オプションの補機を装着したり交換したりするような構成の変更にも容易に対応することができる。
【００６７】
図７に示す第６実施形態のアースプレート５６では、前述の第５実施形態のようなアース穴２８を設けず、その代わりにアースプレート５６にオス型のジョイントコネクタ４１を取り付けた構成となっている。具体的に説明すると、プレート状の接続部材３４の基端部が、アースプレート５６の厚み方向一側の面に溶接により固定されている。そして、この接続部材３４の先端部が適宜折り曲げられるとともに枝分かれ部分を形成し、この枝分かれ部分に４極の接続端子（接続部）４５が構成されている。また、この接続端子４５の周囲を覆うように、樹脂製のコネクタハウジング４６が接続部材３４に一体形成されている。
【００６８】
この構成により、アースプレート５６の軽量化を実現できるとともに、補機用のアース線をアースボルトにより接続する作業を省略できるので、組付作業の工数を削減することができる。
【００６９】
図８に示す第７実施形態では、細長い略長方形状に形成されたアースプレート５７の両端にカシメ部３７が一体的に形成されている。そして、電線２１の端部において絶縁被覆が適宜の長さで剥ぎ取られ、露出した導体２３が前記カシメ部３７により圧着されている。これにより、電線２１がアースプレート５７に固定されるとともに、導体２３とアースプレート５７とが電気的に接続される。この第７実施形態の構成では、第５実施形態及び第６実施形態の電線端子２６及び固定ネジ２７を省略できるので、軽量化を実現するとともに、部品点数及び組立工数を一層削減することができる。
【００７０】
図９に示す第８実施形態では、アースプレート５８を覆うように合成樹脂製の防水カバー４８が備えられている。この防水カバー４８は分割状に構成されており、それぞれの防水カバー４８の接合面には図略のシール部が設置されている。この半割り状の防水カバー４８を相互に接合することで、前記アースプレート５８（アースポイント部６）を覆って水分が侵入しないように保護できるようになっている。
【００７１】
この構成で、前記幹線１の一端に接続されるバッテリ１１は前述のとおりエンジンルームに配置されているため、電線２１に水が掛かると、エンジンルームとの温度差によって電線２１の電線被覆の端部から内部に水が吸い込まれ、内部の導体を腐食させる可能性がある。この点、水が掛かるおそれのある場所において本実施形態のようにアースプレート５８を防水カバー４８で覆うことで、水の吸込みによる電線２１の腐食を回避することができる。また、近年では軽量化のために電線の導体等にアルミが採用されることがあるが、前述の防水効果により、アースプレート５８と電線２１又はアース線の接続部分に電位差の大きいアルミと銅等の組合せがある場合のいわゆる異種金属接触腐食を防止することができる。
【００７２】
以上に示すように、本実施形態の車両用アース配線構造においては、前記アースポイント部６（アースプレート５８）が防水カバー４８で覆われている。
【００７３】
この構成により、アースポイント部６に水が掛かることを回避できるので、幹線１を構成する電線２１の導体２３の腐食を防止することができる。また、アースポイント部６において例えばアルミと銅の接合部分がある場合の異種金属接触腐食を未然に防止することができる。
【００７４】
図１０に示す第９実施形態では、アースプレート５９の一側の面に補機としてのエンジンコントロールユニット（ＥＣＵ）４９が設置されている。このようにＥＣＵ４９をアースプレート５９上に直接設置することにより、ＥＣＵ４９の筐体（基準電位部材）がアースプレート５９に電気的に接続される。また、ＥＣＵ４９の発生する熱をアースプレート５９を介して効果的に放熱することができ、この放熱効果によって機器の損傷を防止することができる。
【００７５】
また、本実施形態において、前記アースプレート５９はヒートパイプ４７を内部に埋め込むようにして備えるとともに、その厚み方向一側の面にフィン５０が取り付けられているため、一層優れた放熱効果が実現されている。また、ＥＣＵ４９の筐体、アース線及び前記電線２１がアースプレート５９と接続する部分に急激な温度変化が生じることを防止できるので、電気的接続の信頼性を大幅に向上させることができる。
【００７６】
以上に示すように、本実施形態の車両用アース配線構造においては、前記アースプレート５９がヒートパイプ４７及びフィン５０を備えている。
【００７７】
この構成により、アースポイント部６において電流が集中して流れることにより発熱が生じても、ヒートパイプ４７及びフィン５０によって容易に放熱することができる。また、発熱が大きい補機としてのＥＣＵ４９をアースプレート５９に直接設置することで、当該ＥＣＵ４９自体を冷却することも可能になる。
【００７８】
図１１に示す第１０実施形態の配線構造では、車両ボディ１０に、幹線１の導体としてのバスバー６１が設置されている。このバスバー６１は細長く形成され、その長手方向中途部に複数のアースポイント部６を適宜の間隔で設けた構成になっている。
【００７９】
アースポイント部６は、補機からのアース線７を接続可能に構成されている。また、適宜の位置のアースポイント部６に対しては、バッテリ１１の負極端子１２から引き出された電線からなる接続線６２が接続されている。これにより、バスバー６１がバッテリ１１の負極端子１２に電気的に接続される。
【００８０】
このアースポイント部６の具体的な構成としては、例えば、前記バスバー６１に、前記第５実施形態で説明したようなネジ込み式のアース穴２８を形成することが考えられる。これにより、前述の実施形態と同様に、補機に近い任意の場所からアースを得ることが可能になる。
【００８１】
以上に示すように、本実施形態の車両用アース配線構造では、前記幹線１の導体はバスバー６１で構成されており、このバスバー６１に複数のアースポイント部６が配置されている。
【００８２】
この構成により、補機からのアース線７を、バスバー６１に設置された複数のアースポイント部６のうち任意のアースポイントに接続させることが可能になる。従って、アース側の配線を効果的に簡素化することができる。また、バスバー６１は、例えば任意の位置に前記アース穴を形成することでアースポイント部６を簡単に形成できるので、多数のアースポイント部６を形成して補機を分散接続するような配線レイアウトも容易に実現することができる。
【００８３】
以上に本発明の好適な複数の実施形態を説明したが、上記の構成は例えば以下のように変更することができる。
【００８４】
幹線１におけるアースポイント部６の位置（アースプレート５の位置）及び配置個数は、事情に応じて適宜変更することができる。また、幹線１の長手方向中途部に複数のアースポイント部６が形成されていれば良く、アースプレート５が図１のように幹線１の端部に配置されているか否かは問わない。
【００８５】
図２から図１０までに示されるアースプレート５１〜５９は、その形状を適宜変更することができ、例えばプレート状ではなくブロック状に構成することができる。
【００８６】
例えば図３に示すジョイントコネクタ４１に代えて、単純な形状のコネクタ端子やタブ端子等をアースプレートが備える構成に変更することができる。
【００８７】
図１０のアースプレート５９においては、前記ヒートパイプ４７及びフィン５０の何れか一方を省略することができる。
【００８８】
上記実施形態の車両用アース配線構造は、非ボディアース型の配線構造を有している限り、いわゆるスポーツカーに限らず他の形式の車両にも適用することができる。
【図面の簡単な説明】
【００８９】
【図１】本発明の第１実施形態の車両用アース配線構造を概念的に示す図。
【図２】第１実施形態におけるアースポイント部周辺の構成を示す斜視図。
【図３】第２実施形態におけるアースポイント部周辺の構成を示す斜視図。
【図４】第３実施形態におけるアースポイント部周辺の構成を示す斜視図。
【図５】第４実施形態におけるアースポイント部周辺の構成を示す斜視図。
【図６】第５実施形態におけるアースポイント部周辺の構成を示す斜視図。
【図７】第６実施形態におけるアースポイント部周辺の構成を示す斜視図。
【図８】第７実施形態におけるアースポイント部周辺の構成を示す斜視図。
【図９】第８実施形態におけるアースポイント部周辺の構成を示す斜視図。
【図１０】第９実施形態におけるアースポイント部周辺の構成を示す斜視図。
【図１１】第１０実施形態の車両用アース配線構造を概念的に示す図。
【符号の説明】
【００９０】
１  幹線
５  アースプレート（金属部材）
６  アースポイント部
７  アース線
１０  車両ボディ
１１  バッテリ
１２  負極端子
２１  電線
２２  ストリップ部
２３  導体
２８  アース穴（ネジ穴）
３２  補機接続部（接続部）
４５  接続端子（接続部）
４７  ヒートパイプ
４８  防水カバー
５０  フィン
５１〜５９  アースプレート（金属部材）
６１  バスバー（導体）
【図１】
0005203014.tif 000002
【図２】
0005203014.tif 000003
【図３】
0005203014.tif 000004
【図４】
0005203014.tif 000005
【図５】
0005203014.tif 000006
【図６】
0005203014.tif 000007
【図７】
0005203014.tif 000008
【図８】
0005203014.tif 000009
【図９】
0005203014.tif 000010
【図１０】
0005203014.tif 000011
【図１１】
0005203014.tif 000012